(57)【特許請求の範囲】
【請求項１】
固定部と、この固定部に対して鉛直軸まわりに作動可能な可動部とを有するヒンジ装置を用い、前記固定部を前面が開口する筐体の側板に固定し、前記可動部の先端部を前記開口を閉塞する扉の裏面に取り付けるとともに、扉の裏面から側端面に亘る部位に、ヒンジ装置との干渉を避ける切欠を設けたものにおいて、
前記固定部は筐体の側板から前方に鉛直軸を持ち出すべく立壁を含む先端部が前方に突出した状態にあり、
前記固定部によって支持されつつ当該固定部と可動部とを連結する鉛直軸に、カバー体を構成する面材の一側面に設けた弾性係合部を弾性係合させることで、前記面材を固定部の立壁に添設させた所定姿勢で取り付け、前記カバー体によって閉扉時に前記切欠における扉の側端面の部分を閉塞するようにしていることを特徴とする収納装置。
【請求項２】
カバー体は、鉛直軸に弾性係合部を取り付けた後に鉛直軸回りに回転させることによって前記所定姿勢をとり、その位置で立壁の内面に係って面材の厚み方向に沿って鉛直軸からの抜脱を規制する規制片を設けている請求項１記載の収納装置。
【請求項３】
中空体状をなす側板の内部に固定部を挿入して取付面を側板の内面に直接添設させ、その状態で側板に挿入した止着具によって固定部を固定するようにしている請求項１又は２記載の収納装置。
【請求項４】
固定部が、筐体の側板に対して、前記鉛直軸による吊り位置を幅方向に変更可能とされている請求項１〜３のいずれかに記載の収納装置。
【請求項５】
請求項１〜４のいずれかに記載の収納装置を構成するものであって、固定部又は固定部と可動部とを連結する鉛直軸にカバー体を取り付けていることを特徴とするヒンジ装置。
【請求項６】
請求項１〜４のいずれかに記載の収納装置を構成するためのものであって、面板部の一側面に固定部又はヒンジ装置の軸に対して弾性係合可能な係合部を備えていることを特徴とするカバー体。
【発明の詳細な説明】
【技術分野】
【０００１】
本発明は、筐体と扉の間をヒンジ装置を用いて簡単かつ見栄え良く連結した収納装置、又はそのためのヒンジ装置やカバー体に関するものである。
【背景技術】
【０００２】
ヒンジ装置を用いた扉の取付構造として、例えば特許文献１に示されるものが知られている。
このものは、固定部と、この固定部に対して鉛直軸まわりに作動可能な可動部とを有するヒンジ装置を用い、前記固定部を前面が開口する筐体の側板にねじにより固定し、前記可動部の先端部を前記開口を閉塞する扉の裏面に取り付けることにより、前記扉を開閉自在に筐体に取付けている。
【０００３】
このヒンジ装置は、扉との干渉を避けるために、扉の裏面と側端面とにかけて、前記可動部と閉扉時における前記側板の前端面より前方に突出する固定部の前端部とを収容する切欠を設けている。
【０００４】
そして、閉扉時に扉の裏面を筐体の前面に重合させた際、上述した扉の側端面に切欠とともにヒンジ装置の機構部品が露出して外観が損なわれることを防ぐために、前記扉側の切欠における扉の側端面の開口縁に化粧縁材を設け、前記筐体の側板の前端面に、前方に向かって突出し、かつ前記扉の閉止時における前記化粧縁材の開口部に嵌合して、この開口部を閉塞しうる塞ぎ片を設けて、上記開口を閉塞することができるようにしている。
【特許文献１】特開２００５−２８２２５３号公報
【発明の開示】
【発明が解決しようとする課題】
【０００５】
しかしながら、少なくとも収納装置の外観を保つという観点のみからすれば、閉扉時の扉の側端面に開口する切欠及び機構部品の露出の不具合に対応すれば、開扉は一時的なものであり、また切欠の端面処理を上手くすればさほど外観を著しく損なうほどでもない。このため、上記のように扉側にも筐体の側板側にも化粧縁材を設ける構造、そして、両化粧縁材同士を嵌合させる構造に比して、より簡素に閉扉時の外観を向上させる手段が望まれる場合がある。
【０００６】
また、この種のヒンジ装置では、鉛直軸を幅方向に変更可能として、吊り位置を調節できるように構成されることがあり、特に両開きの扉などでは、扉間に生じる目地の不均一状態を解消できる点で効果がある。
【０００７】
しかしながら、上記特許文献の構造にこのような機能を用いた場合、固定部全体の位置が幅方向に調節されると、側板に取り付けている化粧縁材と扉に取り付けている化粧縁材との相対位置が変化するので、切欠やヒンジ装置を塞ぎ片によって適切に隠蔽できなくなる事態が予想される。
【０００８】
本発明は、このような課題に着目してなされたものであって、より簡素な構造でヒンジ周辺の外観を適切に向上させ得るようにした収納家具等を提供することを目的としている。
【課題を解決するための手段】
【０００９】
本発明は、かかる目的を達成するために、次のような手段を講じたものである。
【００１０】
すなわち、本発明の収納装置は、固定部と、この固定部に対して鉛直軸まわりに作動可能な可動部とを有するヒンジ装置を用い、前記固定部を前面が開口する筐体の側板に固定し、前記可動部の先端部を前記開口を閉塞する扉の裏面に取り付けるとともに、扉の裏面から側端面に亘る部位に、ヒンジ装置との干渉を避ける切欠を設けたものにおいて、
【００１１】
前記固定部は筐体の側板から前方に鉛直軸を持ち出すべく立壁を含む先端部が前方に突出した状態にあり、前記固定部によって支持されつつ当該固定部と可動部とを連結する鉛直軸に、カバー体を構成する面材の一側面に設けた弾性係合部を弾性係合させることで、前記面材を固定部の立壁に添設させた所定姿勢で取り付け、前記カバー体によって閉扉時に前記切欠における扉の側端面の部分を閉塞するようにしていることを特徴とする。
【００１２】
このような構成であると、固定部や鉛直軸にカバー体を取り付けるだけで塞ぎ片と略同様の効果が生じ、しかも筐体の側板の化粧縁材を一部加工して塞ぎ片とすること等は不要となるので、極めて簡単に採用することができ、化粧縁材が存在しない場合でも同様の作用効果を奏することができる。
【００１３】
しかも、カバー体を、面材の一側面に弾性係合部を設けてなるものにし、その弾性係合部を鉛直軸に弾性係合させることで、カバー体を確実に取り付けることができる。
【００１４】
カバー体の脱落を適切に防止するためには、当該カバー体が、鉛直軸に弾性係合部を取り付けた後に鉛直軸回りに回転させることによって前記所定姿勢をとり、その位置で立壁の内面に係って面材の厚み方向に沿って鉛直軸からの抜脱を規制する規制片を設けていることが望ましい。
【００１５】
本発明は、このような構造であるから、化粧縁材などを有しない中空体状の側板に対してその内部に固定部を挿入して取付面を側板の内面に直接添設させ、その状態で側板に挿入した止着具によって固定部を固定するようにしても、上記と同様の作用効果を得ることができる。
【００１６】
特に、このようにカバー体を筐体側に依存しない構造としたので、固定部が筐体の側板に対して、鉛直軸による吊り位置を幅方向に変更可能とされた収納装置に適用した場合に極めて有用なものとなる。
【００１７】
そして、固定部又は固定部と可動部とを連結する鉛直軸に上記のようにカバー体を取り付けてヒンジ装置を構成したり、面板部の一側面に固定部又はヒンジ装置の軸に対して弾性係合可能な係合部を備えたカバー体を構成すれば、本発明を既存の収納装置やヒンジ装置に好適に適用することができる。
【００１９】
そして、これらの場合にも、叙述した個々の具体的な手段を同様に講じることが可能である。
【発明の効果】
【００２０】
本発明は、以上説明した構成であるから、カバー体やこれを付帯させたヒンジ装置を収納装置や開閉装置に適用するだけで、ヒンジ装置との干渉を避けるべく扉やこれに類する部材に設けられた切欠を内部のヒンジ装置の機構部品とともに適切に隠蔽するという、簡易にして優れた効果を奏することとなる。
【発明を実施するための最良の形態】
【００２１】
以下、本発明の一実施形態を、添付図面を参照して説明する。
【００２２】
図１及び図２は、この実施形態のヒンジ装置を適用した収納装置を示す。
【００２３】
この収納装置は、前面が開口する筐体１の前面に、その両側板１１、１１、上面板１２および底板１３
の前端面全体を覆う扉１６が、上下１ 対のヒンジ装置Ａ、Ａによって支持されており、図１ に示す閉止位置から、図２に示すほぼ９０°の状態を経て、１８０° 回転した全開位置に移動可能となるように構成されている。筐体１の側板１１には、前端側に開口する空洞部Ｓｐが設けられている。
【００２４】
各ヒンジ装置Ａは、図３〜図７に示すように、前記空洞部Ｓｐに挿入されて側板１１の内面１１ａに固定される固定部２０と、この固定部２０に対して可変とされた可動部である持ち出しリンク機構Ｘとを具備し、この持ち出しリンク機構Ｘの先端側に扉１６を取り付けたものである。
【００２５】
持ち出しリンク機構Ｘは、補助リンク３１、シーソーリンク３６、主リンク４２、及び先端リンク４８を備えてなる。
【００２６】
つまり、この持ち出しリンク機構Ｘは、筐体１側に起点である軸４６を有する主リンク４２の先端側において、当該主リンク４２と扉１６側に装着されるカップホルダ５２との間を、軸４１，４４，５０，５７からなる４点リンクで接続するとともに、補助リンク３１をその４点リンクにシーソーリンク３６及び軸３８を介して係り合わせている。
【００２７】
カップホルダ５２は扉１６の内側面に固定されて扉１６と持ち出しリンク機構Ｘとを連結する役割をなす部材であり、前記各リンク３１、３６、４２、４８が折り畳まれた図１０の状態でそのほぼ全てを収納できるものであって、一端部５２ａを開口し、他端部５２ｂを閉じた所定長さの断面コ字形部材の両側部に、扉１６の内側面と平行の取付部５３が形成されている。扉１６には、吊元側縁部１６ａの端面の一部から裏面に至る部位に方形の切欠１６ｘが形成されており、カップホルダ５２の内空はこの切欠１６ｘに臨んでいる。取付部５３にはねじ挿通孔５４が穿設され、奥壁にはリブを利用して前述した軸４１，５７を所定位置で挿通する軸穴が所定の間隔で穿設されている。
【００２８】
そして、図５に示す扉閉止時には、持ち出しリンク機構Ｘを構成する各リンク３１、４２等を折り畳んで前記カップホルダ５２の内部にほぼ収納し、図６に示す略９０°開成時には少なくとも主リンク４２及び補助リンク３１は固定部２０の長手方向の延長線上にまで展開され、更に、扉１６が９０°を越えて図７に示す１８０°開成位置に近づくにつれて、主リンク４２及び補助リンク３１が長手方向の延長線よりも外方側へ折曲回動する。そして、１８０°開成位置の手前の位置あたりから、主リンク４２とカップホルダ５２とを接続する４点リンクのうちの３点４１，４４，５０がほぼ直線状となるように潰れて、持ち出しリンク機構Ｘ全体は主リンク４２或いは補助リンク３１の起点である軸４６、３３回りに回動しながら、扉１６が厚み方向に移動することとなる。
【００２９】
したがって、扉１６を最大限度で開いたときは、補助リンク３１は主リンク４２とともに固定部２０の長手方向の延長線よりも外方側へ大きく折曲回動して、先端を隣接する筐体１の前方に迫り出させ、扉１６は隣接する扉１６の前面に密接に対面させられる。扉１６の吊元側縁部１６ａの端面の一部から裏面に至る部位には前述したように切欠１６ｘが形成されているため、持ち出しリンク機構Ｘはこの切欠１６ｘを介して筐体１と扉１６との連結状態を維持している。
【００３０】
図中符号３１ａ、３６ａ等は、リンク機構Ｘの作動中に周辺の軸等との干渉を避けるためにリンク３１，３６に設けた切欠である。
【００３１】
そして、この実施形態では、かかるヒンジ装置Ａの固定部２０を、図８及び図９に示すように、取付面２１１を有し前記側板１１の内面１１ａに止着具たるねじｖ１を介して緊締される基片２０１と、この基片２０１に係った状態を維持して位置変更可能な吊片２０２とから構成し、前記基片２０１に対する前記吊片２０２の相対位置を可変とする調節部２０３を設けて、吊片２０２に設定した前記鉛直軸４６、３３の位置を図９→図１０のように幅方向に調節可能としている。
【００３２】
吊片２０２は、基端を第２の鉛直軸２０２ｘ回りに枢着され先端側に前記可動部たる持ち出しリンク機構Ｘを鉛直軸４６，３３を介して取り付けたものであり、調節部２０３は、この吊片２０２の角度を前記基片２０１に対して可変とすべく、基片２０１に回転可能かつ軸方向移動不能に設けた送りねじｖ２と、吊片２０２に設けたねじ孔２２１とを具備し、その送りねじｖ２によって基片２０１に対する吊片２０２の角度を変更可能としている。
【００３３】
この吊片２０２は、立壁２２２の上下に水平壁２２３を対向させた、横向きに開口するチャネル状のもので、その内部に、取付面２１１の上下に水平面２１３を形成した横向きに開口するチャネル状の基片２０１を相対移動可能に嵌め込んでいる。取付面２１１にはねじｖ１の螺合するねじ孔２１１ａが開口している。
【００３４】
このように、鉛直軸４６、３３による可動部たる持ち出しリンク機構Ｘの吊り位置が幅方向に変更可能であると、扉１６の吊位置を調節できるため、例えば図１１（ａ）に示すように両開きの扉１６，１６間の目地が上下で不均一な場合に、上下に対をなすヒンジ装置Ａを前述した調節部２０３を通じて調節すれば、同図（ｂ）に示すように扉１６，１６間に生じる目地の不均一状態を解消できることができる。
【００３５】
また、この実施形態において前述した切欠１６ｘは、扉１６の裏面から側端面に亘る部位に設けてあるため、そのままだと閉扉時に図５に示すように扉１６の側端面に切欠１６ｘが内部のリンク機構Ｘの機構部品とともに露出して、収納装置の外観が損なわれる。
【００３６】
そこで、この実施形態は、前記固定部２０の吊片２０２と可動部たる持ち出しリンク機構Ｘとを連結する鉛直軸４６、３３のうちの鉛直軸４６に、図１に示すように閉扉時に扉１６の側端面の切欠１６ｘを閉塞するカバー体Ｃを取り付けている。
【００３７】
このカバー体Ｃは、図１２に示すように、前記切欠１６ｘの矩形形状よりも僅かに小さめの矩形状をなす面材ｃ１と、この面材ｃ１の一側面における一方の縁部よりに設けた弾性係合部ｃ２〜ｃ４とを具備している。図９等に示すように、固定部２０の吊片２０２は筐体１の側板１１から前方に鉛直軸４６を持ち出すべく立壁２２２を含む先端部が側板１１の空洞Ｓｐから前方に突出した状態にあるため、弾性係合部ｃ２〜ｃ４を図１３に示すように固定部２０の長手方向から前記鉛直軸４６に押し付けることによって、弾性係合部ｃ２とｃ３、ｃ４との間が鉛直軸４６により押し開かれて弾性変形しつつ当該鉛直軸４６に嵌合するようになっている。そして、その位置で図１４（ａ）に矢印で示すように平面視略９０°回転させることによって、同図（ｂ）に示すように面材ｃ１の内面を固定部２０の吊片２０２の立壁２２２に添設させて所定姿勢で取り付けることができるようにしている。
【００３８】
なお、このカバー体Ｃには、鉛直軸４６に臨む位置に弾性規制片ｃ５が設けてある。この規制片ｃ５は、カバー体Ｃの前記所定姿勢において、その一部ｃｃが図１４（ｂ）に示すように立壁２２２の内面に弾性により係合するようにしてあり、この弾性規制片ｃ５により、面材ｃ１が同図中矢印で示すように厚み方向に沿って鉛直軸４６から抜脱することを規制し、前記とは逆方向に一旦回転させない限り、取り外すことが難しいものとなっている。
【００３９】
このようなカバー体Ｃを取り付けると、図１４に示す開扉時にカバー体Ｃは筐体１の側板１１の前面に、側方に対して当該側板１１の空洞Ｓｐを隠蔽した状態で付帯することとなり、この状態から扉１６を図１５→図１６→図１７のように閉扉位置まで回動させると、扉１６の側端面に設けた切欠１６ｘに対して相対的にカバー体Ｃが、その面材ｃ１を当該側端面と略面一とするまで切欠１６ｃ内に嵌り込んで、当該切欠１６ｃとともに内部の持ち出しリンク機構Ｘの機構部品を閉塞するものとなっている。
【００４０】
以上のように、本実施形態の収納装置は、固定部２０と、この固定部２０に対して鉛直軸３３，４６のまわりに作動可能な可動部たる持ち出しリンク機構Ｘとを有するヒンジ装置Ａを用い、前記固定部２０を前面が開口する筐体１の側板１１に固定し、前記持ち出しリンク機構Ｘの先端部を前記開口を閉塞する扉１６の裏面に取り付けるとともに、扉１６の裏面から側端面に亘る部位に、ヒンジ装置Ａとの干渉を避ける切欠１６ｘを設けたものである。
【００４１】
そして、固定部２０は筐体１の側板１１から前方に鉛直軸３３，４６を持ち出すべく立壁２２２を含む先端部が前方に突出した状態にあり、固定部２０によって支持されつつ前記固定部２０と持ち出しリンク機構Ｘとを連結する鉛直軸４６に、カバー体Ｃを構成する面材ｃ１の一側面に設けた弾性係合部ｃ２〜ｃ４を弾性係合させることで、面材ｃ１を固定部２０の立壁２２２に添設させた所定姿勢で取り付け、カバー体ｃによって閉扉時に前記切欠１６ｘにおける扉１６の側端面の部分を閉塞するようにしたものである。
【００４２】
このような構成であると、鉛直軸４６にカバー体Ｃを取り付けるだけで塞ぎ片と略同様の効果が生じ、しかも筐体の側板の化粧縁材を一部加工して塞ぎ片とすること等は不要となるので、極めて簡単に採用することができ、図示例のように化粧縁材が存在しない場合であっても、切欠１６ｘやその内部の機構に対する適切な隠蔽効果を得て、特に閉扉時における収納装置の外観を有効に向上させることができる。
【００４３】
特に、この実施形態の固定部２０は、筐体１の側板１１から前方に鉛直軸３３，４６を持ち出すべく立壁２２２を含む先端部が前方に突出した状態にある点に着目して、カバー体Ｃを、面材ｃ１の一側面に弾性係合部ｃ２〜ｃ４を設けてなるものにし、その弾性係合部ｃ２〜ｃ４を固定部２０に支持された鉛直軸４６に弾性係合させ、面材ｃ１を固定部２０の立壁２２２に添設させた所定姿勢で取り付け得るようにしたものである。このように、ヒンジ装置が本来有する構造を好適に利用して、その鉛直軸４６と固定部２０の立壁２２２に対してカバー体Ｃを確実に取り付けることができる。
【００４４】
また、カバー体Ｃは、鉛直軸４６に弾性係合部ｃ１〜ｃ３を取り付けた後に鉛直軸４６の回りに回転させることによって前記所定姿勢をとり、その位置で弾性規制片ｃ４が立壁２２２の内面に係って、カバー体Ｃが面材ｃ１の厚み方向に沿って鉛直軸４６から抜脱できないようにしているので、簡易な取付構造であっても、カバー体Ｃの脱落をより確実に防止することができる。
【００４５】
さらに、本実施形態のカバー体Ｃは側板の化粧縁材などに依存しないため、中空体状をなす側板１１の内部に固定部２０を挿入して取付面２１１を側板１１の内面に直接添設させ、その状態で側板１１に挿入したねじＶ２によって固定部２０を固定するようにしている図示のような収納装置に好適に適用することができる。勿論、化粧縁材を有する収納装置にも同様に適用が可能である。
【００４６】
さらにまた、本実施形態のヒンジ装置Ａは、固定部２０が筐体１の側板１１に対して、鉛直軸４６，３３による吊り位置を幅方向に変更可能とされているが、本実施形態のカバー体Ｃは鉛直軸４６に取り付けられ、吊り位置が変わればそれに追従してカバー体Ｃの位置も変化するので、扉１６との関係を常に一定に保って切欠１６ｘやヒンジ装置Ａに対する適切な隠蔽効果を維持することができる。
【００４７】
このような効果は、固定部２０と可動部たる持ち出しリンク機構Ｘとを連結する鉛直軸４６にカバー体Ｃを取り付けた状態のヒンジ装置Ａを構成して既存の収納装置等に適用しても同様に得られ、また、面板部Ｃの一側面にヒンジ装置Ａの軸４６などに対して弾性係合可能な係合部ｃ１〜ｃ３を備えたカバー体Ｃを構成して既存の収納装置等に適用しても同様に得られるものとなる。
【００４８】
なお、各部の具体的な構成は、上述した実施形態のみに限定されるものではない。
【００４９】
例えば、ヒンジ装置の可動部、或いはその全体の構成自体は、本発明には直接関係するものではなく、固定部と、この固定部に対して鉛直軸まわりに作動可能な可動部とを有するものであれば、種々のヒンジ装置を対象とすることができる。
【００５０】
また、カバー体はヒンジ装置の固定部のみに取り付けるようにしてもよい。
【００５１】
さらに、本発明は上記のような収納装置以外にも、固定部と可動部をヒンジ装置で連結している種々の開閉装置に適用することができる。
【００５２】
すなわち、開閉装置が、固定部と、この固定部に対して軸まわりに作動可能な可動部とを有するヒンジ装置を用い、前記固定部を第１の部材に固定し、前記可動部を第２の部材に固定するとともに、第２の部材に、ヒンジ装置との干渉を避ける切欠を設けたものであるならば、前記固定部又は前記固定部と可動部とを連結する軸に、ヒンジ装置の閉止時に第２の部材の切欠を閉塞するカバー体を設けておけばよい。
【００５３】
その他の構成も、本発明の趣旨を逸脱しない範囲で種々変形が可能である。
【図面の簡単な説明】
【００５４】
【図１】本発明の一実施形態に係る収納装置の斜視図。
【図２】同収納装置を開扉状態において示す斜視図。
【図３】同収納装置に適用されたヒンジ装置の斜視図。
【図４】同ヒンジ装置で筐体の側板と扉との間を接続した状態を示す斜視図。
【図５】同ヒンジ装置の作動を説明するための説明図。
【図６】同ヒンジ装置の作動を説明するための説明図。
【図７】同ヒンジ装置の作動を説明するための説明図。
【図８】同ヒンジ装置の吊位置を調節する調節部の構成を示す斜視図。
【図９】同調節部の調節機能を説明する図。
【図１０】同調節部の調節機能を説明する図。
【図１１】同調節部の調節機能を説明する図。
【図１２】同実施形態において扉の切欠を閉塞するカバー体の斜視図。
【図１３】同カバー体の取付手順を示す図。
【図１４】同カバー体の取付手順を示す図。
【図１５】同カバー体の作用説明図。
【図１６】同カバー体の作用説明図。
【図１７】同カバー体の作用説明図。
【符号の説明】
【００５５】
１…筐体
１１…側板
１６…扉
１６ｘ…切欠
２０…固定部
３３，４６…鉛直軸
２１１…立壁
Ａ…ヒンジ装置
Ｃ…カバー体
ｃ１…面材
ｃ２〜ｃ４…弾性係合部
ｃ５…規制片（弾性規制片）
Ｘ…可動部（持ち出しリンク機構）
【図１】
0005294189.tif 000002
【図２】
0005294189.tif 000003
【図３】
0005294189.tif 000004
【図４】
0005294189.tif 000005
【図５】
0005294189.tif 000006
【図６】
0005294189.tif 000007
【図７】
0005294189.tif 000008
【図８】
0005294189.tif 000009
【図９】
0005294189.tif 000010
【図１０】
0005294189.tif 000011
【図１１】
0005294189.tif 000012
【図１２】
0005294189.tif 000013
【図１３】
0005294189.tif 000014
【図１４】
0005294189.tif 000015
【図１５】
0005294189.tif 000016
【図１６】
0005294189.tif 000017
【図１７】
0005294189.tif 000018